(57)【要約】      （修正有）【課題】従来使用されてきた、祭壇、葬祭具、寺院用もしくは在家用仏壇仏具、宗教用具に使用されている照明器具の電源はその全てが、交流１００Ｖのコンセントから直接固定給電されることから、使用時に様々な制約と不便さが纏わり、さらに使用時に常時通電を行うことから、消費電力も多く、また器具に給電用電線が絶えず接続されることで非常に外観を損ない、葬儀、仏事の品位を時として低下させ、しかも１００Ｖの交流に接続されることで、感電、漏電等の事故につながることがある。【解決手段】祭壇、葬祭具、寺院用もしくは在家用仏壇仏具、宗教用具の照明器具として、高輝度発光ダイオードを組み合わせて照明器具とし、このダイオードを発光させる電源は、祭壇等のの内部に予め充電式電池と、受電装置を取り付けておき、必要時に受電装置に外部に設けた充電器から送られてくる電気を接続し、充電し、その電気で発光動作させて使用する。【選択図】            図１
2004223107.tif 000002
【特許請求の範囲】
【請求項１】
器具の内部に、大容量ニッケル水素充電池を設けた祭壇、葬祭具、寺院用もしくは在家用仏壇仏具、宗教用具。
【請求項２】
請求項１の充電池により、発光する高輝度ダイオードを照明として設けた祭壇、葬祭具、寺院用もしくは在家用仏壇仏具、宗教用具。
【請求項３】
請求項１の充電池に自動急速充電自動停止の充電器から、接続コードにて給電を受けるシステムを備えた祭壇、葬祭具、寺院用もしくは在家用仏壇仏具、宗教用具。
【発明の詳細な説明】
【０００１】
【発明の属する技術分野】この発明は照明装置を備えた祭壇、葬祭具、寺院用もしくは在家用仏壇仏具、宗教用具に関するものである。
特に祭壇、葬祭具、寺院用もしくは在家用仏壇仏具、宗教用具に充電池を組み込み、その充電池に外部の自動急速充電自動停止の充電器より給電して、一つのシステムとして祭壇、葬祭具、寺院用もしくは在家用仏壇仏具、宗教用具の利便牲と、安全性を高めたものであり、かつ使用する照明装置として動作電流が微細な高輝度発光ダイオードを使用することにより、エネルギー消費の非常に少ない省エネルギー運用を可能とした照明装置を備えた祭壇、葬祭具、寺院用もしくは在家用仏壇仏具、宗教用具を提供しようとするものである。
【０００２】
【従来の技術】従来、照明装置を備えた祭壇、葬祭具、寺院用もしくは在家用仏壇仏具、宗教用具としては実開昭６３−１８１３７６号公報に見られるように、祭壇の内部に照明器具を内蔵させたものが提案されているが、これら照明器具の光源としては、通常の交流１００Ｖを使用した、電灯や蛍光灯が使用されてきている。
しかしながら、上記のような電灯や蛍光灯を木製の祭壇類に使用した場合、漏電や温度上昇に伴って火災や感電等の事故などを引き起こしてしまうという問題があった。
【０００３】
【発明が解決しようとする課題】上記従来例の問題点を整理すると、次の通りである。
１）祭壇、葬祭具、寺院用もしくは在家用仏壇仏具、宗教用具において、通常では、照明装置に１００Ｖの交流電源から給電するので、この交流が存在しない所では使用できない。
２）祭壇、葬祭具、寺院用もしくは在家用仏壇仏具、宗教用具において、照明器具に使用する電源として、１００Ｖの交流のコンセントから給電を受けるので、設置位置が固定されてしまいやすい。
３）祭壇、葬祭具、寺院用もしくは在家用仏壇仏具、宗教用具において、照明器具のコードがコンセントまで露出するので、このコードにより非常に美観を損なうこととなる。
４）祭壇、葬祭具、寺院用もしくは在家用仏填仏具において、照明器具と接続されるコードに足を取られ、躓くことがあり、時に、傷害事故を発生することがある。
５）祭壇、葬祭具、寺院用もしくは在家用仏壇仏具、宗教用具において、照明器具に接続されているコードを不注意に引き抜いてしまい、祭司運営に支障をきたすことがある。
６）祭壇、葬祭具、寺院用もしくは在家用仏壇仏具、宗教用具において、使用される照明器具は数が多く、その消費電力は多く、また、その配線は繁雑であり、時として、コンセントに過大の負荷を与えてしまうことがあり、まれに漏電や火災等を引き起こしてしまうような危険性がある。
【０００４】
【課題を解決するための手段】上記のように、従来の方法では前記したような問題、課題が多かった。そこでこの発明の祭壇、葬祭具、寺院用もしくは在家用仏壇仏具、宗教用具は、以下のようにして前記した課題、問題を解消しようとするものである。
１）すなわち、この発明の祭壇、葬祭具、寺院用もしくは在家用仏壇仏具、宗教用具は、器具の内部に、大容量ニッケル水素充電池を設けることによって、安全で使用が簡便でその運用に自由度が高く、運用コストが少ない装置を提供するものである。
２）またこの発明の祭壇、葬祭具、寺院用もしくは在家用仏壇仏具、宗教用具は、上記１の大容量ニッケル水素充電池と、充電池に給電する電気を受ける受電器具を組み込み、この充電池に充電することによって自らその内部に電源を持つ特徴とするものである。
３）さらにこの発明の祭壇、葬祭具、寺院用もしくは在家用仏壇仏具、宗教用具は、その内部に電源を持つことによりその設置場所に囚われず、自由な使用が特徴とするものである。
４）この発明の祭壇、葬祭具、寺院用もしくは在家用仏壇仏具、宗教用具は、内部に電源を持つことにより、敢えて電源コードを接続する必要がないので、外部にコード類が露出せず、祭壇、葬祭具、寺院用もしくは在家用仏壇仏具、宗教用具の外観が損なわれないことを特徴とするものである。
５）この発明の祭壇、葬祭具、寺院用もしくは在家用仏壇仏具、宗教用具は、上記１）の充電池により発光する高輝度ダイオードを、祭壇、葬祭具、等院用もしくは在家用仏壇仏具、宗教用具の内部、必要とされる位置に必要数設け、必要時に設けられた高輝度ダイオードを切り替えスイッチで切り替えて点灯することができるようにしたことを特徴とするものである。
６）この発明の祭壇、葬祭具、寺院用もしくは在家用仏壇仏具、宗教用具は、上記１）の大容量ニッケル水素充電池に、スタートボタンを押すだけで自動で急速充電し、充電が完了したら自動的に充電停止し、その後微電流で充電を継続し、絶えず１００％充電することを特徴とするものである。そして使用時は、充電器からのコードを外して使用する。
【０００５】
【発明の実施の形態】以下この発明の祭壇、葬祭具、寺院用もしくは在家用仏壇仏具、宗教用具を、図面に基いて詳細に説明する。
図１ないし図３はこの発明の祭壇、葬祭具、寺院用もしくは在家用仏壇仏具、宗教用具として行灯の例を示す、それぞれ斜視図、概略縦断面図、概略横断面図、図４および図５は輪灯の例を示すそれぞれ側面図および概略断面図、図６および図７は釣り灯籠の例を示すそれぞれ側面図および概略断面図、図８は在家用仏壇の例を示す概略断面図、図９および図１０は燭台の例を示すそれぞれ側面図および概略断面図、図１１および図１２は提灯の例を示すそれぞれ側面図および概略断面図である。
【０００６】先ず、図１ないし図３に示す行灯の例において、行灯本体１１の内部には、支持棒１３に支持された超高輝度発光ダイオード１２とこれと電気的に接続された明るさ検知フォトトランジスター１４とが設置されている。
【０００７】上記行灯本体１１を支持する台座１５には、大容量ニッケル水素充電池１６とこれと電気的に接続された明るさ検知、電源切り回路１７とが内蔵されている。大容量ニッケル水素充電池１６はまた超高輝度発光ダイオード１２と台座１５の前面に取り付けた点灯、充電切り替えスイッチ１８とに接続されている。
【０００８】図中、１９は照度切替えスイッチ、２０は充電電流受給端子でそれぞれ台座１５の後面に取り付けられており、照度切替えスイッチ１９は超高輝度発光ダイオード１２と台座１５の前面に取り付けた点灯、充電切替えスイッチ１８とに接続され、充電電流受給端子２０は点灯、充電切替えスイッチ１８に接続されている。また２１は、充電電流受給端子２０に着脱可能な充電電流供給端子で、コード２２を介して急速自動充電器２３およびＡＣプラグ２４に接続されている。
【０００９】以上のように構成した行灯によれば、明るさ検知フォトトランジスター１４によって検知された明るさから、明るさ検知、電源切り回路１７を用いて自動的に超高輝度発光ダイオード１２の点灯、消灯を切り替えるようになっており、大容量ニッケル水素充電池１６の節電に勤めて長時間の点灯を可能にしている。また点灯、充電切替えスイッチ１８により、点灯操作と充電操作とが切替えられ、可能な限り充電操作が行なわれるように配慮されている。
【００１０】次に、図４および図５に示す輪灯の例において、輪灯本体３１は吊り金具３２に吊り下げられた収納容器３３とで構成され、収納容器３３には台座３４およびその上に搭載された受け皿３５が内蔵されている。３６は受け皿３５上に設置した超高輝度発光ダイオードである。また収納容器３３内には大容量ニッケル水素充電池３７が設置されている。
【００１１】収納容器３３上部には、超高輝度発光ダイオード３６と大容量ニッケル水素充電池３７とに電気的に接続された点灯、充電切り替えスイッチ３８が設置されている。
【００１２】図中、３９は充電電流受給端子で点灯、充電切替えスイッチ３８に接続され、また充電電流受給端子３９の他端には、充電電流供給端子４０が着脱可能となっている。そしてこの充電電流供給端子４０は、コード４１を介して急速自動充電器４２およびＡＣプラグ４３に接続されている。
【００１３】以上のように構成した輪灯によれば、超高輝度発光ダイオード３６の点灯、消灯により安全で確実な点灯を可能としており、大容量ニッケル水素充電池３７により長時間の点灯を可能にしている。また点灯、充電切替えスイッチ３８により、点灯操作と充電操作とが切替えられ、可能な限り充電操作が行なわれるように配慮されている。
【００１４】図６および図７に示す釣り灯籠の例において、釣り灯籠本体５１は吊り金具５２に吊り下げられた収納台５３と収納台５３の上部に保持された半透明の筒状飾り枠５４で構成され、飾り枠５４内には超高輝度発光ダイオード５５が吊り金具５２の適所に取り付けられて保持されている。また収納台５３上には複数個の大容量ニッケル水素充電池５６が、吊り金具５２の周囲に適宜設置されている。
【００１５】図中５７は充電電流受給端子で大容量ニッケル水素充電池５６に電気的に接続されており、また充電電流受給端子５７の他端には、充電電流供給端子５８が着脱可能となっている。そしてこの充電電流供給端子５８は、コード５９を介して急速自動充電器６０およびＡＣプラグ６１に接続されている。
【００１６】以上のように構成した輪灯によれば、超高輝度発光ダイオード５５の点灯、消灯により安全で確実な点灯を可能としており、大容量ニッケル水素充電池５６により長時間の点灯を可能にしている。
【００１７】図８に示す在家用仏壇の例において、在家用仏壇本体７１の内部には、複数の壇７２上に配置した支持棒７４に超高輝度発光ダイオード７３が設置されている。
【００１８】上記在家用仏壇本体７１を支持する台座７５には、大容量ニッケル水素充電池７６が内蔵されている。大容量ニッケル水素充電池７６はまた超高輝度発光ダイオード７３と台座７５上に取り付けた点灯、消灯切り替えスイッチ７７に接続されている。
【００１９】図中、７８は充電電流受給端子で台座７５の後面に取り付けられており、この充電電流受給端子７８は大容量ニッケル水素充電池７６に接続されている。また７９は、充電電流受給端子７８に着脱可能な充電電流供給端子で、コード８０を介して急速自動充電器８１およびＡＣプラグ８２に接続されている。
また、８３は釣り行灯で、吊り金具８４に内蔵したコード（図示せず）により大容量ニッケル水素充電池７６に接続され、点灯、消灯切り替えスイッチ７７の操作により、上記超高輝度発光ダイオード７３とともに内蔵した超高輝度発光ダイオードが点灯ないし消灯するようになっている。８５は予備的に設けた外部給電端子である。
【００２０】以上のように構成した在家用仏壇によれば、超高輝度発光ダイオード７３の点灯、消灯により安全であるのみならず、大容量ニッケル水素充電池７６により長時間の点灯を可能にしている。また、可能な限り充電操作が行なわれるように配慮されている。
【００２１】図９および図１０に示す燭台の例において、燭台本体９１は柱状本体９２を支持する台座９３と柱状本体９２の上部に搭載された受け皿９４で構成され、受け皿９４内には支柱９６を介して超高輝度発光ダイオード９５が保持されている。また柱状本体９２内には接触感知回路９７が、また台座９３内には大容量ニッケル水素充電池９８が設置されている。
【００２２】図中９９は充電電流受給端子で大容量ニッケル水素充電池９８に電気的に接続されており、また充電電流受給端子９９の他端には、充電電流供給端子（図示せず）が着脱可能となっている。そしてこの充電電流供給端子は、コードを介して急速自動充電器およびＡＣプラグに接続されるのは上記各例と同様である。
【００２３】以上のように構成した燭台によれば、超高輝度発光ダイオード９５の点灯、消灯を金属製の台座９３を指で触れることにより安全で確実に点灯することを可能としており、ＯＮ−ＯＦＦスイッチを不要としている。また大容量ニッケル水素充電池９８により長時間の点灯を可能にしている。
【００２４】図１１および図１２に示す提灯の例において、提灯本体１０１は蛇腹部分１０２およびこれを支持する台座１０３と、蛇腹部分１０２上部と台座１０３の間を連結して保持する取手１０４で構成され、台座１０３上には支柱１０６を介して超高輝度発光ダイオード１０５が保持されている。また台座１０３内には大容量ニッケル水素充電池１０７が設置されている。
【００２５】図中１０８は点灯、消灯スイッチ、１０９は充電電流受給端子でそれぞれ大容量ニッケル水素充電池１０７に電気的に接続されており、また充電電流受給端子１０９の他端には、充電電流供給端子（図示せず）が着脱可能となっている。そしてこの充電電流供給端子は、コードを介して急速自動充電器およびＡＣプラグに接続されるのは上記各例と同様である。
【００２６】以上のように構成した提灯によれば、超高輝度発光ダイオード１０５を点灯、消灯スイッチ１０８の操作により安全で確実に点灯することを可能としている。また大容量ニッケル水素充電池１０７により長時間の点灯を可能にしている。
【００２７】
【発明の効果】この発明の祭壇、葬祭具、寺院用もしくは在家用仏壇仏具、宗教用具内に設ける超高輝度発光ダイオードは、低い電圧と非常に少ない電流で動作することから消費される電力が非常に少なく、通常の１００Ｖの交流で電球を灯すことと比較すると、消費される電力は約１０００分の１以下の節電になる。
【００２８】例えば、消費電流２０ミリアンペアの超高輝度発光ダイオードを４個を並列に配線し、電流制御用の抵抗１８０Ωを直列に接続して、充電の完了した２０００ミリアンペアの大容量ニッケル水素充電池を６本直列に接続して、前記の超高輝度発光ダイオードを動作させると、連続１２０時間の点灯が可能である。この時の大容量ニッケル水素充電池の充電時間は１時間１０分ほどで、充電器の消費電力は充電電流２アンペア、充電電圧９ボルトであるから消費電力は約２０ワットと、その点灯時間からすれば大変省電力であることが理解できる。
【００２９】さらに、フィラメントを使用した電球と比較して、超高輝度発光ダイオードの寿命は比較にならないほど長く、電球の球切れ等の球の交換がほとんど生じず、交換の費用、電球の経費、ダイオードの省消費電力等から経費の大幅な節減になり、非常に優秀なデバイスである。この時使用する充電池は、大容量ニッケル水素充電池を使用する。これ以外の充電池は、その大きさや電流容量で使用に耐えない。また、この充電池に電気を充電する充電器として急速自動充電可能な自動停止の充電器を使用する。この急速自動充電器を使用することにより、祭壇、葬祭具、寺院用もしくは在家用仏壇仏具、宗教用具の使用効率が非常に良くなる。また充電停止作業が完全自動作動であることから、その使用に際しては非常に簡便で、操作に間違いが生じず、使用に際して何等の専門牲を必要としない。
【００３０】以上祭壇、葬祭具、寺院用もしくは在家用仏壇仏具、宗教用具自体に内蔵した大容量ニッケル水素充電池が電気を蓄えることで、今まで器具に纏わり付いて美観を損なう電線が存在せず、また個々の器具が交流電源から解放されることで使用環境が完全に自由となり、従来の祭壇、葬祭具、寺院用もしくは在家用仏壇仏具、宗教用具に新しい世界を提供することができる。
【図面の簡単な説明】
【図１】この発明の祭壇、葬祭具、寺院用もしくは在家用仏壇仏具、宗教用具として行灯の例を示す斜視図である。
【図２】その概略縦断面図である。
【図３】その概略横断面図である。
【図４】輪灯の例を示す側面図である。
【図５】その概略断面図である。
【図６】釣り灯籠の例を示す側面図である。
【図７】その概略断面図である。
【図８】在家用仏壇の例を示す概略断面図である。
【図９】燭台の例を示す側面図である。
【図１０】その概略断面図である。
【図１１】提灯の例を示す側面図である。
【図１２】その概略断面図である。
【符号の説明】
１１  行灯本体
１２  超高輝度発光ダイオード
１３  支持棒
１４  明るさ検知フォトトランジスター
１５  台座
１６  大容量ニッケル水素充電池
１７  明るさ検知、電源切り回路
１８  点灯、充電切り替えスイッチ
１９  照度切替えスイッチ
２０  充電電流受給端子
２１  充電電流供給端子
２２  コード
２３  急速自動充電器
２４  ＡＣプラグ
３１  輪灯本体
３２  吊り金具
３３  収納容器
３４  台座
３５  受け皿
３６  超高輝度発光ダイオード
３７  大容量ニッケル水素充電池
３８  点灯、充電切り替えスイッチ
３９  充電電流受給端子
４０  充電電流供給端子
４１  コード
４２  急速自動充電器
４３  ＡＣプラグ
５１  釣り灯籠本体
５２  吊り金具
５３  収納台
５４  飾り枠
５５  超高輝度発光ダイオード
５６  大容量ニッケル水素充電池
５７  充電電流受給端子
５８  充電電流供給端子
５９  コード
６０  急速自動充電器
６１  ＡＣプラグ
７１  在家用仏壇本体
７２  壇
７３  超高輝度発光ダイオード
７４  支持棒
７５  台座
７６  大容量ニッケル水素充電池
７７  点灯、消灯切り替えスイッチ
７８  充電電流受給端子
７９  充電電流供給端子
８０  コード
８１  急速自動充電器
８２  ＡＣプラグ
８３  釣り行灯
８４  吊り金具
８５  外部給電端子
９１  燭台本体
９２  柱状本体
９３  台座
９４  受け皿
９５  超高輝度発光ダイオード
９６  支柱
９７  接触感知回路
９８  大容量ニッケル水素充電池
９９  充電電流受給端子
１０１  提灯本体
１０２  蛇腹部分
１０３  台座
１０４  取手
１０５  超高輝度発光ダイオード
１０６  支柱
１０７  大容量ニッケル水素充電池
１０８  点灯、消灯スイッチ
１０９  充電電流受給端子
【図１】
2004223107.tif 000003
【図２】
2004223107.tif 000004
【図３】
2004223107.tif 000005
【図４】
2004223107.tif 000006
【図５】
2004223107.tif 000007
【図６】
2004223107.tif 000008
【図７】
2004223107.tif 000009
【図８】
2004223107.tif 000010
【図９】
2004223107.tif 000011
【図１０】
2004223107.tif 000012
【図１１】
2004223107.tif 000013
【図１２】
2004223107.tif 000014